(57)【要約】【課題】遠隔制御装置の納入後のシステム変更に伴う煩雑なメンテナンスの作業や費用を不要にすること。【解決手段】機器の設定状態を保持する設定部データーベース４と、使用者が設定部データーベースの内容を変更する入力装置２と、設定部データーベース４の内容を表示する表示装置３と、入力装置２により設定部データーベース４を変更する、設定変更ソフトウェア６を搭載するものである。【選択図】  図１
2005037997.tif 000002
【特許請求の範囲】
【請求項１】
機器の設定状態を保持する設定部データーベースと、使用者が前記設定部データーベースの内容を変更する入力装置と、前記設定部データーベースの内容を表示する表示装置と、前記入力装置により前記設定部データーベースを変更する、設定変更ソフトウェアとからなることを特徴とする遠隔制御装置。
【請求項２】
設定変更ソフトウェア内にパスワード設定手段を有し、設定部データーベースを変更できる権限を、入力装置から入力されるパスワードにより制限することを特徴とする、請求項１記載の遠隔制御装置。
【請求項３】
設定変更ソフトウェア内にキーデバイス判定手段を有し、設定部データーベースを変更できる権限を、接続されたキーデバイスにより制限することを特徴とする、請求項１記載の遠隔制御装置。
【請求項４】
設定変更ソフトウェア内にカードリーダー判定手段を有し、での設定部データーベースを変更できる権限をカードリーダーからの情報により制限することを特徴とする、請求項１記載の遠隔制御装置。
【請求項５】
設定変更ソフトウェア内に外部メディア判定手段を有し、での機器の設定を変更できる権限を外部メディアからの情報により制限することを特徴とする、請求項１記載の遠隔制御装置。
【発明の詳細な説明】
【０００１】
【発明の属する技術分野】
本発明は、機器の遠隔制御装置に関するものである。
【０００２】
【従来の技術】
従来、この種の遠隔制御装置では、例えば図６に記載された遠隔制御装置があった。
【０００３】
図６において、あらかじめ設定された、機器１０８によって異なる情報を記憶する設定部データーベース１０１と、機器の状態を記憶する機器状態データーベース１０２と、機器状態データーベース１０２の内容を変更する入力装置１０３と、設定部データーベース１０１および機器状態データーベース１０２の内容を表示する表示装置１０４と、機器１０８と通信し制御する通信装置１０５と、演算処理を行う制御ソフトウェア１０６とを備えた遠隔制御装置１０７で構成されていた（例えば、特許文献１参照）。
【０００４】
【特許文献１】
特開平１１−１９５１８６号公報
【０００５】
【発明が解決しようとする課題】
しかしながら、上記従来の構成では、納入後の機器追加やレイアウト変更に対し、専用の外部機器をもって行う必要があるなど、設定部データーベース１０１の変更が困難であり、その為機器追加やレイアウト変更が発生する度に高額なメンテナンス費用が必要となる課題を有していた。
【０００６】
本発明は、使用者に対し納入後の機器追加やレイアウト変更が画面上で容易に変更できる設定変更ソフトウェアを予め共に搭載した遠隔制御装置を提供することで、システム変更に伴う納入後のメンテナンス費用を不要にすることを実現するものである。
【０００７】
【課題を解決するための手段】
上記課題を解決するため、本発明は、機器の設定状態を保持する設定部データーベースと、使用者が設定部データーベースの内容を変更する入力装置と、設定部データーベースの内容を表示する表示装置と、入力装置により設定部データーベースを変更する制御ソフトウェアとは異なる設定変更ソフトウェアを提供するものである。
【０００８】
この構成によって、システム変更に伴う納入後のメンテナンス費用を不要にすることを実現することができる。
【０００９】
【発明の実施の形態】
以下、本発明の実施の形態について図面を参照しながら説明する。
【００１０】
（実施の形態１）
図１は、本発明の実施の形態１における遠隔制御装置１のブロック図である。同図において、遠隔制御装置１は、入力装置２、表示装置３、設定部データーベース４、制御ソフトウェア５、設定変更ソフトウェア６から構成されている。
【００１１】
使用者は、機器追加や機器の設置場所変更等のレイアウト変更が発生した場合、制御ソフトウェア５を停止し、設定変更ソフトウェア６を起動し、変更すべき設定内容を入力装置２で入力する。設定変更ソフトウェア６は入力装置２でなされた入力情報に応じ設定部データーベース４を変更し、その内容を表示装置３に表示する。使用者は表示装置３の表示内容で入力内容を確認し、設定変更ソフトウェア６を終了し、再度制御ソフトウェア５を起動する。以降使用者は、機器追加やレイアウト変更が発生した場合、この動作を繰り返す。
【００１２】
以上のように構成された遠隔制御装置は、使用者が自由に設定部データーベース４を変更することが可能となりシステム変更に伴う納入後のメンテナンス費用を不要にすることができる。
【００１３】
尚、電力入力装置２はキー入力手段、マウス入力手段、タッチパネル入力手段のいずれの入力手段を使用しても良い。
【００１４】
（実施の形態２）
図２は、本発明の実施の形態２における遠隔制御装置のブロック図である。同図において、図１と同じ構成要素については同じ符号を用い説明を省略する。
【００１５】
パスワード判定手段７ａは、設定変更ソフトウェア６に含まれ、設定変更ソフトウェア６での設定部データーベース４変更の権限を入力装置２によるパスワード入力で制限するソフトウェアである。
使用者は、機器追加やレイアウト変更が発生した場合、制御ソフトウェア５を停止し、設定変更ソフトウェア６を起動し、入力装置２によりパスワードを入力する。パスワード判定手段７ａは入力されたパスワードが正しいか否かを判断し、パスワード入力が誤っていれば、設定変更ソフトウェア６を終了する。パスワード入力が正しければ、設定変更ソフトウェア６は処理を継続する。
【００１６】
以上のように構成された遠隔制御装置は、不特定多数の使用者による設定部データーベース４の変更を防止することが可能となり設定部データーベース４のセキュリティを保持することができる。
【００１７】
（実施の形態３）
図３は、本発明の実施の形態２における遠隔制御装置のブロック図である。同図において、図１と同じ構成要素については同じ符号を用い説明を省略する。
【００１８】
キーデバイス判定手段７ｂは、設定変更ソフトウェア６に含まれ、設定変更ソフトウェア６での設定部データーベース４変更の権限をキーデバイス８ｂの有無で制限するソフトウェアである。
使用者は、機器追加やレイアウト変更が発生した場合、制御ソフトウェア５を停止し、設定変更ソフトウェア６を起動する。キーデバイス判定手段７ｂはキーデバイス８ｂの有無を判断し、キーデバイス８ｂが無ければ、設定変更ソフトウェア６を終了する。キーデバイス８ｂが有れば、設定変更ソフトウェア６は処理を継続する。
【００１９】
以上のように構成された遠隔制御装置は、不特定多数の使用者による設定部データーベース４の変更を防止することが可能となり設定部データーベース４のセキュリティを保持することができる。
【００２０】
（実施の形態４）
図４は、本発明の実施の形態２における遠隔制御装置のブロック図である。同図において、図１と同じ構成要素については同じ符号を用い説明を省略する。
【００２１】
カードリーダー判定手段７ｃは、設定変更ソフトウェア６に含まれ、設定変更ソフトウェア６での設定部データーベース４変更の権限をカードリーダー８ｃにより読み込まれた情報により制限するソフトウェアである。
使用者は、機器追加やレイアウト変更が発生した場合、制御ソフトウェア５を停止し、設定変更ソフトウェア６を起動する。カードリーダー判定手段７ｃはカードリーダー８ｃにより読み込まれた情報を判断し、権限が無ければ、設定変更ソフトウェア６を終了する。権限が有れば、設定変更ソフトウェア６は処理を継続する。
【００２２】
以上のように構成された遠隔制御装置は、不特定多数の使用者による設定部データーベース４の変更を防止することが可能となり設定部データーベース４のセキュリティを保持することができる。
【００２３】
なお、カードリーダー８ｃの機能を入力装置２が兼ね備えたものであれば、入力に用いる装置は入力装置２のみであってもよい。
【００２４】
（実施の形態５）
図５は、本発明の実施の形態２における遠隔制御装置のブロック図である。同図において、図１と同じ構成要素については同じ符号を用い説明を省略する。
【００２５】
外部メディア判定手段７ｄは、設定変更ソフトウェア６に含まれ、設定変更ソフトウェア６での設定部データーベース４変更の権限を外部メディア入力装置８ｄにより読み込まれた情報により制限するソフトウェアである。
使用者は、機器追加やレイアウト変更が発生した場合、制御ソフトウェア５を停止し、設定変更ソフトウェア６を起動する。外部メディア判定手段７ｄは外部メディア入力装置８ｄにより読み込まれた情報を判断し、権限が無ければ、設定変更ソフトウェア６を終了する。権限が有れば、設定変更ソフトウェア６は処理を継続する。
【００２６】
以上のように構成された遠隔制御装置は、不特定多数の使用者による設定部データーベース４の変更を防止することが可能となり設定部データーベース４のセキュリティを保持することができる。
【００２７】
なお、外部メディア入力装置８ｄの機能を入力装置２が兼ね備えたものであれば、入力に用いる装置は入力装置２のみであってもよい。
【００２８】
【発明の効果】
上記から明らかなように、本発明は、機器の設定状態を保持する設定部データーベースと、使用者が前記設定部データーベースの内容を変更する入力装置と、前記設定部データーベースの内容を表示する表示装置と、前記入力装置により前記設定部データーベースを変更する、設定変更ソフトウェアとからなるもので、この構成をなすことにより、システム変更に伴う納入後のメンテナンス費用を不要にすることを実現することができる。
【００２９】
また、本発明は、設定変更ソフトウェア内にパスワード設定手段を有し、設定部データーベースを変更できる権限を、入力装置から入力されるパスワードにより制限するもので、この構成をなすことにより、不特定多数の使用者による設定部データーベースの変更を防止することが可能となり設定部データーベースのセキュリティを保持することができる。
また、本発明は、▲３▼設定変更ソフトウェア内にキーデバイス判定手段を有し、設定部データーベースを変更できる権限を、接続されたキーデバイスにより制限するもので、この構成をなすことにより、不特定多数の使用者による設定部データーベースの変更を防止することが可能となり設定部データーベースのセキュリティを保持することができる。
また、本発明は、▲４▼設定変更ソフトウェア内にカードリーダー判定手段を有し、での設定部データーベースを変更できる権限をカードリーダーからの情報により制限するもので、この構成をなすことにより、不特定多数の使用者による設定部データーベースの変更を防止することが可能となり設定部データーベースのセキュリティを保持することができる。
【００３０】
また、本発明は、▲５▼設定変更ソフトウェア内に外部メディア判定手段を有し、での機器の設定を変更できる権限を外部メディアからの情報により制限するもので、この構成をなすことにより、不特定多数の使用者による設定部データーベースの変更を防止することが可能となり設定部データーベースのセキュリティを保持することができる。
【図面の簡単な説明】
【図１】本発明の実施の形態１におけるブロック図
【図２】本発明の実施の形態２におけるブロック図
【図３】本発明の実施の形態３におけるブロック図
【図４】本発明の実施の形態４におけるブロック図
【図５】本発明の実施の形態５におけるブロック図
【図６】従来の遠隔制御装置におけるブロック図
【符号の説明】
１  遠隔制御装置
２  入力装置
３  表示装置
４  設定部データーベース
５  制御ソフトウェア
６  設定変更ソフトウェア
７ａ  パスワード判定手段
７ｂ  キーデバイス判定手段
７ｃ  カードリーダー判定手段
７ｄ  外部メディア判定手段
８ｂ  キーデバイス
８ｃ  カードリーダー
８ｄ  外部メディア入力装置
【図１】
2005037997.tif 000003
【図２】
2005037997.tif 000004
【図３】
2005037997.tif 000005
【図４】
2005037997.tif 000006
【図５】
2005037997.tif 000007
【図６】
2005037997.tif 000008